(57)【要約】【課題】本発明は、グロメットの変形を防止し、リード線と第１貫通孔との隙間からの水分等の浸入又はリークを抑制できる。【解決手段】グロメット４０は、本体部７と整列体８とから構成されており、レゾルバステータ等の内部が気密された電子機器から引出されたリード線５が挿通されている。前記本体部７には、略真直に並列に延びる４つの第１貫通孔７０が設けられており、それぞれに前記リード線５が挿通されている。前記第１貫通孔７０の一端の出口７２には、それぞれに前記整列体８が設けられている。各前記リード線５は前記整列体８の前記各第２貫通孔８０に挿通されているので、前記各整列体８の位置においては、前記各整列体８により略真直に支持される。【選択図】図１
2018032505.tif 000002
【特許請求の範囲】
【請求項１】
本体部（７）に並列に設けられた複数の第１貫通孔（７０）と、
前記各第１貫通孔（７０）の一端の出口（７２）にそれぞれ設けられ、前記各第１貫通孔（７０）に連通する第２貫通孔（８０）を有する整列体（８）と
を備え、
前記整列体（８）は前記本体部（７）と一体又は別体に構成されており、前記第１貫通孔（７０）及び前記第２貫通孔（８０）にリード線（５，５ａ，５ｂ）が挿通可能に構成されている
ことを特徴とするグロメット。
【発明の詳細な説明】
【技術分野】
【０００１】
この発明は整列体一体型グロメットに関し、特に、並列に設けられた複数の貫通孔を備える整列体一体型グロメットに関する。
【背景技術】
【０００２】
従来、例えばレゾルバステータ等の内部からリード線が引き出されるように構成されている場合には、外部からレゾルバステータ内部への水分等の浸入を防止するために、前記レゾルバステータのケースと前記リード線との隙間が周知のグロメットにより封止される。前記ケースと前記リード線との隙間を封止するグロメットの構造としては、例えば以下の特許文献１に記載された構成を図４として挙げることができる。すなわち、従来のレゾルバステータ１のケース２の周壁３にはグロメット４が設けられており、前記レゾルバステータ１の内部から引き出された複数のリード線５が挿通されている。
【０００３】
図３には、図４に記載の前記レゾルバステータ１で一般的に用いられるような、グロメット４０の拡大断面概略図を記載した。前記グロメット４０の本体部７には、略真直に並列に延びる４つの貫通孔７０が設けられており、それぞれに前記リード線５が挿通されている。前記各リード線５は、前記本体部７の近傍において、結束バンド６により結束されている。これにより、前記周壁３（図４参照）と、前記各リード線５との隙間が前記グロメット４により封止されることで、前記レゾルバステータ１（図４参照）の外部から内部への水分等の浸入が防止されている。また、第１貫通孔７０内には、その長さ方向に沿って複数のヒダ部７０ａが形成され、水分の通過を阻止するように構成されている。
【先行技術文献】
【特許文献】
【０００４】
【特許文献１】特開２０１５−１０９７６１号公報
【発明の概要】
【発明が解決しようとする課題】
【０００５】
しかし、上記のような従来の前記グロメット４０において、前記グロメット４０の近傍において前記リード線５が結束バンド６により結束されると、複数の前記リード線５の内、特に端側の前記リード線５が列の中央側へ屈曲し、前記グロメット４０の前記貫通孔７０が前記リード線５に圧迫されて変形する。すると、前記該リード線５と前記貫通孔７０との間に隙間が生じ、その隙間からレゾルバステータ１内部に例えば水分等が浸入し、また、水分等の浸入によるリークが発生するという問題点があった。
【０００６】
この発明はこのような課題を解決するためになされたものであり、特に、グロメットの変形を防止し、リード線と貫通孔との隙間からの水分等の浸入又はリークを抑制できるグロメットを提供することを目的とする。
【課題を解決するための手段】
【０００７】
この発明に係るグロメットは、本体部に並列に設けられた複数の第１貫通孔と、前記各第１貫通孔の一端の出口にそれぞれ設けられ、前記各第１貫通孔に連通する第２貫通孔を有する整列体とを備え、前記整列体は前記本体部と一体又は別体に構成されており、前記第１貫通孔及び前記第２貫通孔にリード線が挿通可能に構成されている。
【発明の効果】
【０００８】
本発明に係るグロメットによれば、本体部に並列に設けられた複数の第１貫通孔と、前記各第１貫通孔の一端の出口にそれぞれ設けられ、前記各第１貫通孔に連通する第２貫通孔を有する整列体とを備え、前記整列体は前記本体部と一体又は別体に構成されており、前記第１貫通孔及び前記第２貫通孔にリード線が挿通可能に構成されているので、グロメットの変形を防止し、リード線と貫通孔との隙間からの水分等の浸入又はリークを抑制できる。
【図面の簡単な説明】
【０００９】
【図１】この発明の実施の形態に係るグロメットの断面概略図である。
【図２】この発明の実施の形態に係るグロメットの平面概略図である。
【図３】従来のグロメットの断面概略図である。
【図４】従来のグロメットを含むレゾルバステータの断面概略図である。
【発明を実施するための形態】
【００１０】
以下、この発明の実施の形態を添付図面の図１〜図２に基づいて説明する。なお、従来例と同一又は同等部分には同一符号を付して説明する。
図１は、この発明の実施の形態に係るグロメット４０の断面概略図である。前記グロメット４０は、本体部７と整列体８とから構成されており、例えば図示しないレゾルバステータ等の内部が気密された電子機器から引出されたリード線５が挿通されている。前記本体部７及び前記整列体８は別体に成形されて構成されており、ゴム等で構成されている。なお、前記本体部７及び前記整列体８は、空気及び水をほとんど又はまったく通さない材料、すなわち周知の気密性又は水密性を有する材料で成形されていれば、例えば合成樹脂等の他の種類の材料で成形されていてもよい。また、前記本体部７と前記整列体８とは、一体に成形されて構成されていてもよい。
【００１１】
前記本体部７には、略真直に並列に延びる４つの第１貫通孔７０が設けられており、それぞれに前記リード線５が挿通されている。また、前記第１貫通孔７０には、長手方向において一定の距離毎に直径が狭くなる狭部をなすヒダ部７０ａが設けられており、前記狭部７１の直径が前記リード線５の直径よりもわずかに大きく、前記リード線５の外周が前記狭部７１に接するように形成されている。さらに、前記第１貫通孔７０の一端の出口７２には、それぞれに前記整列体８が設けられている。
【００１２】
図２は、図１のＡ−Ａ線において切断して前記グロメット４０を見たときの平面概略図であり、図２に示すように前記整列体８は、第２貫通孔８０を有する円筒体である。図１に示すように、前記第２貫通孔８０は、前記第１貫通孔７０に連通されており、前記第１貫通孔７０に挿通された前記リード線５が挿通されている。前記第２貫通孔８０の直径は、前記リード線５の直径よりもわずかに大きく、前記リード線５の外周が前記第２貫通孔８０の内周に接するように形成されている。なお、前記整列体８は、前記リード線５が挿通可能であれば、例えば外形が角柱状等の円筒体以外の形状であってもよい。
【００１３】
前記各リード線５は、前記整列体８の近傍において、結束バンド６により結束されている。このため、４本の前記リード線５は、前記本体部７の前記第１貫通孔７０に平行に延びる中心線Ｂの延長上に近づくように集束し、前記リード線５のうち特に両端側のリード線５ａ，５ｂが中心線Ｂの側、すなわち前記第１貫通孔７０の列の中央側へ強く屈曲される。しかし、前記第１貫通孔７０の一端の出口７２には、それぞれに前記整列体８が設けられており、前記各リード線５は前記各第２貫通孔８０に挿通されているので、前記各整列体８の位置においては、前記各整列体８により略真直に支持される。そのため、前記各リード線５ａ，５ｂが前記第１貫通孔７０の列の中央側へ強く屈曲される位置が、前記各整列体８の端部から前記結束バンド６側へ少し出た位置となり、前記各第１貫通孔７０が特に前記各リード線５ａ，５ｂによって圧迫されて変形することがない。したがって、前記グロメット４０の変形を防止し、前記リード線５と前記第１貫通孔７０との隙間からの水分等の浸入又はリークを抑制できる。
【００１４】
このように、前記本体部７に並列に設けられた前記各第１貫通孔７０と、前記各第１貫通孔７０の前記一端の出口７２にそれぞれ設けられ、前記各第１貫通孔７０に連通する前記第２貫通孔８０を有する前記整列体８とを備え、前記各整列体８は前記本体部７と一体又は別体に構成されており、前記第１貫通孔７０及び前記第２貫通孔８０にリード線が挿通可能に構成されているので、前記グロメット４０の変形を防止し、前記リード線５と前記第１貫通孔７０との隙間からの水分等の浸入又はリークを抑制できる。
【００１５】
なお、この実施の形態では、前記リード線５と前記第１貫通孔７０と前記整列体８とは４つずつ設けられていたが、この形態に限定されるものではなく、前記リード線５と前記第１貫通孔７０と前記整列体８とはそれぞれ任意の複数個が設けられていればよい。
【００１６】
また、この実施の形態では、前記第１貫通孔７０には、長手方向に一定の距離毎に直径が狭くなる前記狭部７１が設けられていたが、前記狭部７１は設けられていなくてもよい。すなわち、前記第１貫通孔７０の直径が前記リード線５の直径よりもわずかに大きく且つ一定で、前記リード線５の外周が前記第１貫通孔７０の内周に接するように形成されていてもよい。
【００１７】
また、この実施の形態では前記グロメット４０はレゾルバステータに設けられていたが、それに限定されるものでなく、例えばモータ等の、リード線を用いる他の電子機器等に設けられてもよい。
【００１８】
なお、本発明によるグロメットの要旨としては、以下の通りである。すなわち、前記本体部７に並列に設けられた複数の前記第１貫通孔７０と、前記各第１貫通孔７０の前記一端の出口７２にそれぞれ設けられ、前記各第１貫通孔７０に連通する前記第２貫通孔８０を有する前記整列体８とを備え、前記整列体８は前記本体部７と一体又は別体に構成されており、前記第１貫通孔７０及び前記第２貫通孔８０に前記リード線５が挿通可能に構成されている構成である。
【産業上の利用可能性】
【００１９】
本発明によるグロメットは、本体部に並列に設けられた複数の第１貫通孔と、各第１貫通孔の一端の出口にそれぞれ設けられ、各第１貫通孔に連通する第２貫通孔を有する整列体とを備え、整列体は本体部と一体又は別体に構成されており、第１貫通孔及び第２貫通孔にリード線が挿通可能に構成されているので、グロメットの変形を防止し、リード線と第１貫通孔との隙間からの水分等の浸入又はリークを抑制できる。
【符号の説明】
【００２０】
４，４０        グロメット
５，５ａ，５ｂ  リード線
７              本体部
８              整列体
７０            貫通孔、第１貫通孔
７２            一端の出口
８０            第２貫通孔
【図１】
2018032505.tif 000003
【図２】
2018032505.tif 000004
【図３】
2018032505.tif 000005
【図４】
2018032505.tif 000006